(57)【要約】【課題】診察情報を容易に表示することができ、使い勝手が良い電子カルテ自動スクロールシステムを提供する。【解決手段】患者氏名情報および各診察情報を記憶しておく。表示編集情報およびスクロール速度情報を設定し、記憶する。記憶した患者氏名情報を選択する（ステップ３０）。選択した患者氏名情報に対応する各診察情報を、表示編集情報に基づいて編集する。編集した各診察情報を、対応する患者氏名情報とともに編集情報として記憶する（ステップ３４）。記憶した編集情報をモニタに表示する。スクロール速度情報に基づき、編集情報をスクロールして表示する（ステップ３６）。マウスのクリックにより、スクロール方向またはスクロール停止の制御方法を選択し、編集情報のスクロール状態を制御する。【選択図】図２
2005078367.tif 000002
【特許請求の範囲】
【請求項１】
患者氏名情報およびその患者氏名情報に対応する複数種類の診察情報を記憶する診療録記憶手段と、
表示編集情報およびスクロール速度情報を設定する表示情報設定手段と、
前記表示情報設定手段で設定した表示編集情報およびスクロール速度情報を記憶する表示情報記憶手段と、
前記診療録記憶手段に記憶した患者氏名情報を選択する患者選択手段と、
前記患者選択手段で選択した患者氏名情報に対応する各診察情報を、前記表示情報記憶手段に記憶した表示編集情報に基づいて編集する診察情報編集手段と、
前記診察情報編集手段で編集した各診察情報を対応する患者氏名情報とともに編集情報として記憶する編集情報記憶手段と、
前記編集情報記憶手段に記憶した編集情報を表示する画面表示手段と、
前記画面表示手段で表示される編集情報を、前記表示情報記憶手段に記憶したスクロール速度情報に基づきスクロールして表示する自動スクロール手段と、
スクロール方向またはスクロール停止の制御方法を選択するスクロール選択手段と、
前記スクロール選択手段で選択した制御方法に基づいて、前記画面表示手段で表示される編集情報のスクロール状態を制御するスクロール制御手段とを、
有することを特徴とする電子カルテ自動スクロールシステム。
【発明の詳細な説明】
【技術分野】
【０００１】
本発明は、電子カルテ自動スクロールシステムに関する。
【背景技術】
【０００２】
従来の一般的な電子カルテシステムは、複数種類の診察情報を患者ごとに電子化して記録しておき、必要に応じて表示画面に表示するものである。医師が患者についての必要な情報を探すときや、患者の診察の経緯を把握したいときには、その患者の各診察情報を画面に表示させる。しかし、何度も診察している患者など、診察情報が多い患者では、各診察情報を一度に表示画面に表示しきれないことが多い。そこで、一般的な電子カルテシステムでは、キーボードやマウスを操作して表示画面をスクロールさせて、各診察情報を表示させるようになっている。
【発明の開示】
【発明が解決しようとする課題】
【０００３】
しかしながら、従来の電子カルテシステムでは、一画面に表示できない診察情報を表示する場合、キーボードやマウスを操作して表示画面をスクロールさせる必要があった。このため、医師が診察情報を参照しながら診察するとき、一画面に表示できない患者の診察情報を表示させるには、スクロール操作の手間がかかって、使い勝手が悪いという課題があった。
【０００４】
本発明は、このような従来の課題に着目してなされたもので、診察情報を容易に表示することができ、使い勝手が良い電子カルテ自動スクロールシステムを提供することを目的としている。
【課題を解決するための手段】
【０００５】
上記目的を達成するために、本発明に係る電子カルテ自動スクロールシステムは、患者氏名情報およびその患者氏名情報に対応する複数種類の診察情報を記憶する診療録記憶手段と、表示編集情報およびスクロール速度情報を設定する表示情報設定手段と、前記表示情報設定手段で設定した表示編集情報およびスクロール速度情報を記憶する表示情報記憶手段と、前記診療録記憶手段に記憶した患者氏名情報を選択する患者選択手段と、前記患者選択手段で選択した患者氏名情報に対応する各診察情報を、前記表示情報記憶手段に記憶した表示編集情報に基づいて編集する診察情報編集手段と、前記診察情報編集手段で編集した各診察情報を対応する患者氏名情報とともに編集情報として記憶する編集情報記憶手段と、前記編集情報記憶手段に記憶した編集情報を表示する画面表示手段と、前記画面表示手段で表示される編集情報を、前記表示情報記憶手段に記憶したスクロール速度情報に基づきスクロールして表示する自動スクロール手段と、スクロール方向またはスクロール停止の制御方法を選択するスクロール選択手段と、前記スクロール選択手段で選択した制御方法に基づいて、前記画面表示手段で表示される編集情報のスクロール状態を制御するスクロール制御手段とを、有することを特徴とする。
【０００６】
本発明に係る電子カルテ自動スクロールシステムでは、患者氏名情報は、患者の氏名、ＩＤ番号、生年月日、性別、職業、保険証情報などを含むことが好ましい。診察情報は、担当医師名、診断名、患者の症状、医師の所見、処方、レントゲンなどの画像、血液検査などの各種検査結果などを含むことが好ましい。また、表示編集情報は、各診察情報を表示する順番、文字サイズ、表示色などから成ることが好ましい。
【０００７】
本発明に係る電子カルテ自動スクロールシステムは、患者氏名情報を選択すると、その患者の各診察情報を順次自動的にスクロールして表示する。このため、従来の電子カルテシステムのように、各診察情報を表示させるために、キーボードやマウスを操作して表示画面を切り換える必要がない。このように、本発明に係る電子カルテ自動スクロールシステムは、診察情報を容易に表示することができ、使い勝手が良い。また、医師がスクロール速度に合わせて患者の各診察情報を参照することができるため、効率的な診察を行うことができる。
【０００８】
各診察情報を表示する際には、制御方法を選択してスクロール方向を変更させたり、スクロールを停止させたりすることができる。このため、表示画面を前後させて何度も見直したり、任意の表示画面で停止させてじっくりと参照したりすることができる。
【０００９】
本発明に係る電子カルテ自動スクロールシステムでは、スクロール選択手段は、スクロール方向またはスクロール停止だけでなく、スクロール速度変更の制御方法を選択可能であってもよい。この場合、好みのスクロール速度で診察情報を参照することができる。また、きめの細かいスクロール制御を行うことができる。
【発明の効果】
【００１０】
本発明によれば、診察情報を容易に表示することができ、使い勝手が良い電子カルテ自動スクロールシステムを提供することができる。
【発明を実施するための最良の形態】
【００１１】
以下、図面に基づき、本発明の実施の形態について説明する。
図１乃至図３は、本発明の実施の形態の電子カルテ自動スクロールシステムを示している。
本発明の実施の形態の電子カルテ自動スクロールシステムは、パソコンなどのコンピュータにより実行される。図１に示すように、この電子カルテ自動スクロールシステムを実行するコンピュータは、キーボードやマウスなどから成る入力手段１１と、各種ファイルを記憶する記憶手段１２と、演算機能および制御機能を有する主制御部１３と、モニタなどから成る出力手段１４とを有している。
【００１２】
入力手段１１は、文字や主制御部１３に対する指示などを入力するよう構成されている。
記憶手段１２は、メモリから成り、診療録記憶手段１５と表示情報記憶手段１６と編集情報記憶手段１７とを有している。診療録記憶手段１５は、患者氏名情報およびその患者氏名情報に対応する複数種類の診察情報を記憶している。患者氏名情報は、患者の氏名、ＩＤ番号、生年月日、性別を含んでいる。また、診察情報は、担当医師名、診断名、患者の症状、医師の所見、処方、血液検査などの各種検査結果を含んでいる。
【００１３】
表示情報記憶手段１６は、設定した表示編集情報およびスクロール速度情報を記憶している。表示編集情報は、各診察情報を表示する順番を含んでいる。編集情報記憶手段１７は、編集した各診察情報を、対応する患者氏名情報とともに編集情報として記憶している。
【００１４】
主制御部１３は、ＣＰＵから成り、入力手段１１や記憶手段１２からデータを受け取り、演算・加工して出力手段１４や記憶手段１２に送るよう構成されている。主制御部１３は、表示情報設定手段１８と患者選択手段１９と診察情報編集手段２０と自動スクロール手段２１とスクロール選択手段２２とスクロール制御手段２３とを機能として有している。
【００１５】
表示情報設定手段１８は、表示編集情報およびスクロール速度情報を、モニタに表示した設定画面で入力手段１１を用いて設定するよう構成されている。患者選択手段１９は、表示された患者の氏名を入力手段１１により選択することにより、対応する診療録記憶手段１５に記憶した患者氏名情報を選択するよう構成されている。診察情報編集手段２０は、選択した患者氏名情報に対応する各診察情報を、表示情報記憶手段１６に記憶した表示編集情報に基づいて編集するよう構成されている。
【００１６】
自動スクロール手段２１は、表示される編集情報を、表示情報記憶手段１６に記憶したスクロール速度情報に基づきスクロールして表示するよう構成されている。スクロール選択手段２２は、マウスのクリックにより、スクロール方向またはスクロール停止の制御方法を選択するよう構成されている。スクロール制御手段２３は、選択した制御方法に基づいて、表示される編集情報のスクロール状態を制御するよう構成されている。
【００１７】
出力手段１４は、文字や画像などを画面に表示したり、書面や図面などを印刷したりするよう構成されている。出力手段１４は、編集情報記憶手段１７に記憶した編集情報を表示する画面表示手段として用いることができる。
【００１８】
次に、図２および図３を参照して電子カルテ自動スクロールシステムの処理手順について説明する。
まず、あらかじめ診療録記憶手段１５に患者氏名情報および各診察情報を記憶しておく。また、各診療情報を表示するときの表示編集情報およびスクロール速度情報を、表示情報設定手段１８により設定する。このとき、モニタに表示した設定画面で、入力手段１１を用いて設定する。設定した表示編集情報およびスクロール速度情報を、担当医の担当医ＩＤおよび診断名ごとに表示情報記憶手段１６に記憶する。
【００１９】
診療録記憶手段１５に記憶している全ての患者氏名情報の患者の氏名と、対応する各診断情報の担当医師名および診断名とを、モニタ画面に表示する。患者選択手段１９により、表示した患者の氏名の中から、各診断情報を参照する患者の氏名をマウスでクリックして選択する（ステップ３０）。
【００２０】
選択した患者の氏名に対応する担当医の担当医ＩＤおよび診断名（病名）に基づいて、表示情報記憶手段（一覧表示マスタ）１６に記憶した表示編集情報およびスクロール速度情報を検索し（ステップ３１）、これらを取得する（ステップ３２）。また、選択した患者の氏名に対応する患者氏名情報および各診察情報を、診療録記憶手段（診療録ファイル）１５の中から検索する（ステップ３３）。
【００２１】
検索した各診察情報を、取得した表示編集情報の各診察情報を表示する順番に基づいて、診察情報編集手段２０により並べ替えて編集する。編集した各診察情報（全診療録データ）を、患者氏名情報とともに編集情報として編集情報記憶手段（メモリーテーブル）１７に展開して記憶する（ステップ３４）。
【００２２】
図３に示すように、記憶した編集情報を、カルテ情報一覧画面として出力手段１４のモニタに表示する。それと同時に、取得したスクロール速度情報に基づき、自動スクロール手段２１により編集情報をスクロールする。このとき、ページカウンタがプラスになり（ステップ３５）、モニタ画面を下から上に向かって移動するように編集情報をスクロールして表示する（ステップ３６）。
【００２３】
スクロール選択手段２２により、スクロール方向またはスクロール停止の制御方法を選択し、スクロール制御手段２３により、選択した制御方法に基づいて、表示される編集情報のスクロール状態を制御する。具体的な一例としては、図２に示すように、スクロール中にマウスの左ボタンをクリックすると（ステップ３７）、左クリックのフラグがオンになり（ステップ３８）、スクロール停止の状態になる（ステップ３９）。
【００２４】
もう一度マウスの左ボタンをクリックすると（ステップ３７）、左クリックのフラグがオフになり（ステップ４０）、スクロールを再開する（ステップ４１）。このとき、ページカウンタがプラスになり（ステップ３５）、モニタ画面を下から上に向かって移動するように編集情報をスクロールして表示する（ステップ３６）。
【００２５】
一方、スクロール中またはスクロール停止中に、マウスの右ボタンをクリックすると（ステップ４２）、ページカウンタがマイナスになり（ステップ４３）、モニタ画面を上から下に向かって移動するように編集情報をスクロールして表示する（ステップ３６）。
【００２６】
また、スクロール中またはスクロール停止中に、マウスをダブルクリックすると（ステップ４４）、スクロール画面を閉じる（ステップ４５）。
【００２７】
このように、この電子カルテ自動スクロールシステムは、患者氏名情報により患者の氏名を選択すると、その患者の各診察情報を順次自動的にスクロールして一括表示する。このため、従来の電子カルテ自動スクロールシステムのように、各診察情報を表示させるために、キーボードやマウスを操作して表示画面を切り換える必要がない。このように、この電子カルテ自動スクロールシステムは、患者の診察情報のすべてを短時間で容易に表示し一読することができ、使い勝手が良い。また、医師がスクロール速度に合わせて患者の各診察情報を参照することができるため、効率的な診察を行うことができる。
【００２８】
各診察情報を表示する際には、制御方法を選択してスクロール方向を変更させたり、スクロールを停止させたりすることができる。このため、表示画面を前後させて何度も見直したり、任意の表示画面で停止させてじっくりと参照したりすることができる。
【図面の簡単な説明】
【００２９】
【図１】本発明の実施の形態の電子カルテ自動スクロールシステムの構成を示すブロック図である。
【図２】図１に示す電子カルテ自動スクロールシステムの処理手順を示すフローチャートである。
【図３】図１に示す電子カルテ自動スクロールシステムのカルテ情報一覧画面を示す説明図である。
【符号の説明】
【００３０】
１１  入力手段
１２  記憶手段
１３  主制御部
１４  出力手段
１５  診療録記憶手段
１６  表示情報記憶手段
１７  編集情報記憶手段
１８  表示情報設定手段
１９  患者選択手段
２０  診察情報編集手段
２１  自動スクロール手段
２２  スクロール選択手段
２３  スクロール制御手段
【図１】
2005078367.tif 000003
【図２】
2005078367.tif 000004
【図３】
2005078367.tif 000005